(57)【要約】【課題】点灯時に法規要件を満たす赤色光を外側に放出させる一方で非点灯時に前記赤色以外の見栄えの良い色を外側に放出させる車両用のリアコンビランプ１の提供。【解決手段】リアコンビランプ１は、赤色光を発生する発光手段３と、ケース２の開口を覆う透明なアウターレンズ４と、発光手段３から発生される赤色光を拡散させてアウターレンズ４の内面における広域に導く透明なインナーレンズ５と、を備えている。アウターレンズ４の内面には半透過反射膜９が形成され、また、アウターレンズ４の外面には黄色塗装膜１０が形成されている。【選択図】図１
2019139991.tif 000002
【特許請求の範囲】
【請求項１】
赤色光を発生する発光手段と、ケースの開口を覆う透明なアウターレンズと、前記発光手段から発生される赤色光を拡散させて前記アウターレンズの内面における広域に導く透明なインナーレンズと、を備え、
前記アウターレンズの内面には半透過反射膜が形成され、また、前記アウターレンズの外面には黄色塗装膜が形成されている、ことを特徴とする車両用のリアコンビランプ。
【発明の詳細な説明】
【技術分野】
【０００１】
本発明は、車両用のリアコンビランプに関する。
【背景技術】
【０００２】
特許文献１には、リフレクタと、バルブまたは発光ダイオード等の発光手段と、インナーレンズと、アウターレンズと、を備えるランプ構造が記載されている。
【０００３】
前記リフレクタの内面はアルミ蒸着又は反射塗装などの反射処理が施された反射面とされている。このリフレクタの中心には前記発光手段が取り付けられる。
【０００４】
前記インナーレンズは多数の凸部と素通し部とを有している。前記アウターレンズは透明なクリアレンズとされている。
【先行技術文献】
【特許文献】
【０００５】
【特許文献１】特開２００６−３０２７８２号公報
【発明の概要】
【発明が解決しようとする課題】
【０００６】
上記特許文献１では、前記凸部にアルミ蒸着，反射塗装，反射印刷などの反射処理を施すことにより、外光が入ったときに前記凸部で反射させて光り輝かせるということや、前記凸部にハーフアルミ蒸着（半透過）を施すことにより、前記発光手段の発光を均一にするということが記載されている。
【０００７】
しかしながら、上記特許文献１からは、点灯時に法規要件を満たす赤色光を外側に放出させる一方で非点灯時に前記赤色以外の見栄えの良い色を外側に放出させるという技術思想を窺い知ることはできない。
【０００８】
このような事情に鑑み、本発明は、点灯時に法規要件を満たす赤色光を外側に放出させる一方で非点灯時に前記赤色以外の見栄えの良い色を外側に放出させる車両用のリアコンビランプの提供を目的としている。
【課題を解決するための手段】
【０００９】
本発明に係る車両用のリアコンビランプは、赤色光を発生する発光手段と、ケースの開口を覆う透明なアウターレンズと、前記発光手段から発生される赤色光を拡散させて前記アウターレンズの内面における広域に導く透明なインナーレンズと、を備え、前記アウターレンズの内面には半透過反射膜が形成され、また、前記アウターレンズの外面には黄色塗装膜が形成されている、ことを特徴としている。
【００１０】
この構成では、前記発光手段を点灯させると、当該発光手段から発生される赤色光が透明なインナーレンズを通過することにより拡散されて前記半透過反射膜を介して透明なアウターレンズの内面における広域に入射されることになり、当該アウターレンズおよび前記黄色塗装膜を通過することにより外側へ放出されることになる。
【００１１】
このとき、発光手段により発生される赤色光が前記黄色塗装膜を通過するので、外側に放出される光は若干薄い赤色光になるものの法規要件を満たす赤色光となる。
【００１２】
一方、前記発光手段が非点灯のときには、他の車両のヘッドライト光または太陽光等の外光が前記透明なアウターレンズに入射されると、当該外光が前記半透過反射膜で反射されることになって前記透明なアウターレンズおよび前記黄色塗装膜を通過して外側に放出されることになる。
【００１３】
このとき、前記外光が前記半透過反射膜で反射されて前記黄色塗装膜を通過することになるために、外側に放出される光が例えば金色に見えるようになる。
【００１４】
このように点灯時と非点灯時とで異なる見栄えとなるので、意匠性の向上に貢献できるようになる。
【発明の効果】
【００１５】
本発明によれば、点灯時に法規要件を満たす赤色光を外側に放出させる一方で非点灯時に赤色以外の見栄えの良い色を外側に放出させる車両用のリアコンビランプの提供することが可能になる。
【図面の簡単な説明】
【００１６】
【図１】本発明に係る車両用のリアコンビランプの一実施形態を示す断面図である。
【図２】図１のリアコンビランプの点灯時における様子を説明するための模式図である。
【図３】図１のリアコンビランプの非点灯時における様子を説明するための模式図である。
【図４】図１のリアコンビランプの点灯時と非点灯時における外側放出光の色度範囲を示す色度図である。
【発明を実施するための形態】
【００１７】
以下、本発明を実施するための最良の実施形態について添付図面を参照して詳細に説明する。
【００１８】
図１から図４に本発明の一実施形態を示している。図中、１は車両用のリアコンビランプの全体を示している。
【００１９】
リアコンビランプ１は、ケース２、発光ダイオード（ＬＥＤ：light-emitting diode）３と、アウターレンズ４と、インナーレンズ５と、を備えている。
【００２０】
発光ダイオード３は、赤色光を発生するものであって、樹脂製の基板６上に縦横に密に搭載されている。
【００２１】
この発光ダイオード３の点灯、非点灯等の動作は、詳細に図示していないが、制御基板７に実装される各種の電子部品で構成される制御装置によって制御される。なお、発光ダイオード３が搭載される基板６および制御基板７はケース２の内部に適宜のブラケット８を介して取り付けられる。
【００２２】
アウターレンズ４は、ケース２の開口を覆う蓋のようなものであって、透明なクリアレンズとされている。
【００２３】
インナーレンズ５は、発光ダイオード３から発生される赤色光を拡散させてアウターレンズ４の内面における広域、好ましくは全域に導くものであって、ケース２の開口寄りでアウターレンズ４の内側に取り付けられる。このインナーレンズ５は、透明なクリアレンズとされている。
【００２４】
そして、アウターレンズ４の内面には半透過反射膜９が形成されており、また、アウターレンズ４の外面には黄色塗装膜１０が形成されている。
【００２５】
半透過反射膜９は、例えばアルミニウム等のハーフ蒸着により形成される。黄色塗装膜１０は、例えば黄色の塗料を塗装により形成される。
【００２６】
次に、図２および図３を参照して、上記構成のリアコンビランプ１の点灯時および非点灯時の光の通過形態を説明する。
【００２７】
まず、発光ダイオード３を点灯させると、図２に示すように、発光ダイオード３から発生される赤色光が透明なインナーレンズ５を通過することにより拡散されて半透過反射膜９を介して透明なアウターレンズ４の内面における広域、好ましくは全域に入射されることになり、当該アウターレンズ４および黄色塗装膜１０を通過することにより外側へ放出されることになる。
【００２８】
このとき、発光ダイオード３により発生される赤色光が黄色塗装膜１０を通過するので、外側に放出される光は若干薄い赤色光になるものの法規要件を満たす赤色光となる（図４のハッチングで示す色度領域参照）。なお、図４は、国際照明委員会（略称：CIE、フランス語：Commission internationale de l'eclairage）で規定された色度図（ＣＩＥ１９３１）の一部を拡大して示している。
【００２９】
一方、発光ダイオード３が非点灯のときには、図３に示すように、他の車両のヘッドライト光または太陽光等の外光がアウターレンズ４に入射されると、当該外光が前記半透過反射膜９で反射されることになって透明なアウターレンズ４および黄色塗装膜１０を通過して外側に放出されることになる。
【００３０】
このとき、前記外光が半透過反射膜９で反射されて黄色塗装膜１０を通過することになるために、外側に放出される光が例えば金色に見えるようになる（図４のクロスハッチングで示す色度領域参照）。
【００３１】
このように点灯時と非点灯時とで異なる見栄えとなるので、意匠性の向上に貢献できるようになる。
【００３２】
この実施形態のリアコンビランプ１は、発光ダイオード３から発生する赤色光を直接アウターレンズ４側に発射させるような形態にすることにより、上記特許文献１のようなリフレクタを無くしているから、構成の簡素化ならびに製品コストの低減を図るうえで有利になる。
【００３３】
なお、本発明は、上記実施形態のみに限定されるものではなく、特許請求の範囲内および当該範囲と均等の範囲内で適宜に変更することが可能である。
【００３４】
例えば上記実施形態では、リアコンビランプ１の内部形状や外部形状については特に限定されるものではなく、任意に変更することができる。
【００３５】
また、基板６に対する発光ダイオード３の搭載レイアウトについては特に限定されるものではなく、任意のレイアウトに設計することが可能である。
【産業上の利用可能性】
【００３６】
本発明は、車両用のリアコンビランプに好適に利用することが可能である。
【符号の説明】
【００３７】
１  リアコンビランプ
２  ケース
３  発光ダイオード（発光手段）
４  アウターレンズ
５  インナーレンズ
６  発光ダイオード搭載用の基板
７  制御基板
８  ブラケット
９  半透過反射膜
１０  黄色塗装膜
【図１】
2019139991.tif 000003
【図２】
2019139991.tif 000004
【図３】
2019139991.tif 000005
【図４】
2019139991.tif 000006